(57)【特許請求の範囲】
【請求項１】
金枠を載せた反転ローラコンベヤの両側に１対の反転タイヤを取付け、それらの反転タイヤの外周面を２対の受けローラで支持するとともに、一方または双方の反転タイヤの上部に駆動ローラを設けた鋳型反転装置であって、前記２対の受けローラをツバ無しローラとするとともに、２対のサイドローラを反転タイヤの側面に当てて下流側へのズレを防止したことを特徴とする鋳型反転装置。
【請求項２】
前記サイドローラは、反転タイヤの側面との接触面を円弧面としたことを特徴とする請求項１記載の鋳型反転装置。
【請求項３】
角形ブラケットの内部にスプリングにより弾発されるスクレーパを収納した踏面清掃用スクレーパを、反転タイヤの踏面に接触する位置に配置したことを特徴とする請求項１または２記載の鋳型反転装置。
【発明の詳細な説明】
【技術分野】
【０００１】
本発明は、自動鋳造設備の枠付き造型ラインに組み込んで使用される鋳型反転装置に関するものである。
【背景技術】
【０００２】
枠付き造型ラインにおいては、金枠の内部に造型される鋳型は、キャビティ面を下向きとして造型され、鋳型反転装置により上下枠とも、キャビティ面を上向きに反転され、上枠は下方から反キャビティ面のサンドカットや湯口掘りを行い、下枠には定盤をセットし、また中子をセットする。次に上枠のみ鋳型反転装置により再反転してキャビティ面を下向きに戻し、キャビティ面が上向きとなっている下枠の上に枠合せされる。このため、従来から特許文献１に示されるような鋳型反転装置が用いられている。
【０００３】
図４と図５に、従来の鋳型反転装置の構造を示す。この鋳型反転装置１０１は図４に示すように、固定ローラコンベヤ１０２の途中に配置されるものであり、金枠１０３を１枠載せて反転させることができる反転ローラコンベヤ１０４の両側に１対の反転タイヤ１０５を取付け、その外周面を２対のツバ付きの受けローラ１０６で受けている。一方または双方の反転タイヤ１０５の上部には駆動ローラ１０９が設けられており、反転タイヤ１０５とともに反転ローラコンベヤ１０４を反転させる構造である。
【０００４】
従来の枠付き造型ラインはサイクルタイムが長かったため、金枠の搬送速度も低速であり、特に大きな問題はなかった。しかし、昨今の枠付き造型ラインはサイクルタイムが短縮化され、金枠の搬送速度が高速化している。このため高速搬送の反力により、反転ローラコンベヤ１０４に取付けた反転タイヤ１０５が下流側にずれ易く、反転タイヤ１０５の側面及びツバ付きの受けローラ１０６のツバの摩耗が早くなるという問題があった。
【０００５】
また、サイクルタイムの短縮に伴い反転速度の高速化も進み、１対の反転タイヤ１０５及びツバ付きの受けローラ１０６の踏面の摩耗も早くなるという問題があった。この問題を解消するために、図５に示すように踏面清掃用のスクレーパ１１１を取付けているが、固定式であるためにスクレーパ１１１が摩耗すると清掃効果が維持できなくなる。このため頻繁にメンテナンスを行なう必要があった。
【０００６】
しかもこの鋳型反転装置は、常時その内部に金枠１０３を積載しているために反転タイヤ１０５の交換は容易ではなく、反転タイヤ１０５自体も高価なものであった。さらに、反転タイヤ１０５の材質変更や熱処理によって耐摩耗性を向上させることも考えられるが、何れも大幅なコストアップの原因となる。
【先行技術文献】
【特許文献】
【０００７】
【特許文献１】特開２００７−３０１６０８号公報
【発明の概要】
【発明が解決しようとする課題】
【０００８】
従って本発明の目的は上記した従来の問題点を解決し、サイクルタイムの短縮に伴い金枠の搬送速度や反転速度が高速化した場合にも、反転タイヤや受けローラの消耗を低減することができる鋳型反転装置を提供することである。
【課題を解決するための手段】
【０００９】
上記の課題を解決するためになされた本発明の鋳型反転装置は、金枠を載せた反転ローラコンベヤの両側に１対の反転タイヤを取付け、それらの反転タイヤの外周面を２対の受けローラで支持するとともに、一方または双方の反転タイヤの上部に駆動ローラを設けた鋳型反転装置であって、前記２対の受けローラをツバ無しローラとするとともに、２対のサイドローラを反転タイヤの側面に当てて下流側へのズレを防止したことを特徴とするものである。
【００１０】
なお請求項２のように、前記サイドローラは、反転タイヤの側面との接触面を円弧面としたものであることが好ましい。また請求項３のように、角形ブラケットの内部にスプリングにより弾発されるスクレーパを収納した踏面清掃用スクレーパを、反転タイヤの踏面に接触する位置に配置することが好ましい。
【発明の効果】
【００１１】
本発明の鋳型反転装置は、１対の反転タイヤの外周面を支持する２対の受けローラをツバ無しローラとするとともに、２対のサイドローラを反転タイヤの側面に当てた構造であるので、従来のように受けローラのツバの摩耗が早くなるという問題を解消することができる。またツバを無くした代わりにサイドローラを設けたので、反転タイヤの下流側へのズレも防止することができる。
【００１２】
請求項２のように、反転タイヤの側面との接触面を円弧面としたサイドローラを用いれば点接触となるので、こすれによる摩耗の進行を抑制することができる。また請求項３のように、角形ブラケットの内部にスプリングにより弾発されるスクレーパを収納した踏面清掃用スクレーパを、反転タイヤの踏面に接触する位置に配置すれば、頻繁にメンテナンスを行わなくても反転タイヤの踏面を常に清掃し、その摩耗を防止することができる。
【図面の簡単な説明】
【００１３】
【図１】本発明の実施形態を示す部分断面正面図である。
【図２】本発明の実施形態を示す側面図である。
【図３】サイドローラの拡大側面図である。
【図４】従来の鋳型反転装置の正面図である。
【図５】従来の鋳型反転装置の側面図である。
【発明を実施するための形態】
【００１４】
以下に本発明の実施形態を説明する。
図１において、１は本発明の鋳型反転装置である。この装置は、枠付き造型ラインにおいて、金枠の内部に造型されて搬送されてきた鋳型を反転させるために用いられる。また、この装置は、正転と逆転を交互に繰り返し、各々１８０度の反転を行なうものである。２は金枠３を搬送するための固定ローラコンベヤであり、４は固定ローラコンベヤ２の途中に配置された反転ローラコンベヤである。
【００１５】
反転ローラコンベヤ４は１枠分の金枠３を載せて反転させるためのものであり、その前後の両端部には一対のリング状の反転タイヤ５が設けられている。反転ローラコンベヤ４は反転タイヤ５に固定されているので、反転タイヤ５とともに反転可能である。なお金枠３は固定ローラコンベヤ２から反転ローラコンベヤ４に、反転タイヤ５の中心孔を通じて移動する。
【００１６】
図２、図３に示すように、これらの一対の反転タイヤ５は、２対の受けローラ６によって支持されている。これらの受けローラ６は従来とは異なりツバ無しローラであり、反転タイヤ５の下側の２カ所の踏面を支持している。
【００１７】
また受けローラ６をツバ無しローラとしたため、反転タイヤ５の金枠進行方向Ｙ１（図１参照）への位置決めをツバによって行うことができない。そこで本発明では、図１、図２に示すように２対のサイドローラ１０を反転タイヤ５の側面に当て、金枠進行方向Ｙ１へのズレを防止している。サイドローラ１０は受けローラ６の内側位置（図２参照）に配置され、図１における反転タイヤ５の両外側（２対であるため、合計４個。片側は図示省略）に配置されている。この構造により、金枠の搬送速度が高速化した場合にも、反転タイヤ５が下流側にずれることを確実に防止することができる。
【００１８】
図３はサイドローラ１０の拡大側面図である。図示のようにサイドローラ１０はブラケット１５により傾斜させて取付けられているが、サイドローラ１０の表面は半径Ｒが大きい円弧面となっており、反転タイヤ５の側面との接触は点接触となっている。この構造により、こすれによる摩耗の進行を抑制している。
【００１９】
反転タイヤ５の上部には、駆動ローラ９が設けられている。駆動ローラ９のブラケット１６はその一端がピン７で軸支され、他端はスプリング８により反転タイヤ５の踏面に向けて弾発されている。このため駆動ローラ９は常に反転タイヤ５の踏面に押し付けられ、反転タイヤ５を正転または逆転させることができる。この実施形態では片側の反転タイヤ５の上部だけに駆動ローラ９が取付けられているが、駆動ローラ９を両方の反転タイヤ５の上部に取付けることも可能である。
【００２０】
反転ローラコンベヤ４は反転タイヤ５に固定されているため、駆動ローラ９によって反転タイヤ５が回転されると、金枠３を載せた反転ローラコンベヤ４も回転して金枠３の上下を反転させることができる。
【００２１】
受けローラ６の外側（図２参照）には、反転タイヤ５の踏面清掃用スクレーパ１１が、鉛直線に対して４５度の角度で配置されている。図２に示すように、踏面清掃用スクレーパ１１は角パイプを使用した角形ブラケット１３の内部に、角形スクレーパ１４と、スクレーパ押圧用のスプリング１２とを収納したものである。角形スクレーパ１４はスプリング１２によって常に反転タイヤ５の踏面に押し付けられ、踏面を清掃する。この構造によって、従来のように頻繁にメンテナンスを行わなくても、反転タイヤ５の踏面に付着した異物を除去することができるので、反転タイヤ５及び受けローラ６の損耗を低減することができる。なお、この実施形態では踏面清掃用スクレーパ１１を鉛直線に対して４５度の角度で配置したが、この角度は適宜変更することができる。
【００２２】
以上に説明したように、本発明の鋳型反転装置によれば、サイクルタイムの短縮に伴い金枠の搬送速度や反転速度が高速化した場合にも、反転タイヤ５や受けローラ６の消耗を低減することができる利点がある。
【符号の説明】
【００２３】
１  鋳型反転装置
２  固定ローラコンベヤ
３  金枠
４  反転ローラコンベヤ
５  反転タイヤ
６  受けローラ
７  ピン
８  スプリング
９  駆動ローラ
１０  サイドローラ
１１  踏面清掃用スクレーパ
１２  スプリング
１３  角形ブラケット
１４  角形スクレーパ
１５  ブラケット
１６  ブラケット
１０１  鋳型反転装置
１０２  固定ローラコンベヤ
１０３  金枠
１０４  反転ローラコンベヤ
１０５  反転タイヤ
１０６  ツバ付きの受けローラ
１０９  駆動ローラ
１１１  踏面清掃用のスクレーパ
【図１】
0006406152.tif 000002
【図２】
0006406152.tif 000003
【図３】
0006406152.tif 000004
【図４】
0006406152.tif 000005
【図５】
0006406152.tif 000006